(57)【要約】【課題】被清掃面に対する優しくソフトな感触が得られると共に、清掃時における力強いイメージを想起させて清掃実感を向上させることのできる長繊維集合体を用いた清掃用物品を提供する。【解決手段】長繊維１２が集合された長繊維集合体１１を用いて形成される清掃用物品１０であって、マンセル表色系における明度が４以下の長繊維集合体を含む。清掃用物品１０は、不織布等からなる基材シート１３の表面に、長繊維集合体１１を接合して形成されており、柄部２１と清掃部２２とを備える清掃具２０の清掃部２２に装着して用いられる。【選択図】図１
2018089124.tif 000002
【特許請求の範囲】
【請求項１】
長繊維が集合された長繊維集合体を用いて形成される清掃用物品であって、
マンセル表色系における明度が４以下である長繊維集合体を含む清掃用物品。
【請求項２】
前記長繊維集合体は、一方向に配向した長繊維が集合されて形成されている請求項１記載の清掃用物品。
【請求項３】
基材シートを含み、前記長繊維集合体が、該基材シートに接合されて形成されている請求項１又は２に記載の清掃用物品。
【請求項４】
前記基材シートは、前記長繊維集合体に比べてマンセル表色系における明度が高い請求項３記載の清掃用物品。
【請求項５】
前記長繊維は、芯部と鞘部とからなる芯鞘構造を備える樹脂製の繊維となっている請求項１〜４のいずれか１項記載の清掃用物品。
【請求項６】
前記芯部が着色されている請求項５に記載の清掃用物品。
【請求項７】
前記芯部が、ポリエステル樹脂からなり、前記鞘部がポリエチレン樹脂からなる請求項５又は６記載の清掃用物品。
【請求項８】
前記長繊維は、黒色である請求項１〜７のいずれか１項記載の清掃用物品。
【請求項９】
柄部と清掃部とを備える清掃具の清掃部に装着して用いる請求項１〜８のいずれか１項記載の清掃用物品。
【請求項１０】
前記清掃具の少なくとも前記柄部は、マンセル表色系における明度が４以下である請求項９記載の清掃用物品。
【発明の詳細な説明】
【技術分野】
【０００１】
本発明は、清掃用物品に関し、特に、長繊維集合体を用いた清掃用物品に関する。
【背景技術】
【０００２】
従来より、長繊維集合体を用いた清掃用物品として、例えばヘッド部（清掃部）及びヘッド部に連結された柄部を有する清掃具の、ヘッド部に装着して使用される清掃用シートが知られている（例えば、特許文献１、特許文献２参照）。
【０００３】
これらの長繊維集合体を用いて形成される清掃用物品では、好ましくは長繊維集合体を、手動（手に持って振る）、エアブロー処理、バキューム処理等によって立体開繊することで、多数の長繊維を３次元方向にランダムに起毛させて立体形状に毛羽立たせることにより、被清掃面に対する優しくソフトな感触が得られるようになると共に、狭い隙間に対する清掃を容易にし、且つ払拭した被清掃面の埃や汚れ等を、起毛させた立体形状の長繊維集合体の内部にまで取り込むことで３次元的に捕集して、被清掃面を効率良く清掃することが可能になる。
【先行技術文献】
【特許文献】
【０００４】
【特許文献１】特開２０１０−２０７５６９号公報
【特許文献２】特開２００８−６２６０号公報
【発明の概要】
【発明が解決しようとする課題】
【０００５】
しかしながら、長繊維集合体を用いて形成される従来の清掃用物品では、好ましくは起毛させた立体形状の長繊維集合体によって、被清掃面に対する優しくソフトな感触が得られる一方で、優しくソフトな感触が得られる分、清掃時における力強いイメージを想起させることが困難になり、清掃実感に乏しくなる。
【０００６】
本発明は、被清掃面に対する優しくソフトな感触が得られると共に、清掃時における力強いイメージを想起させて清掃実感を向上させることのできる長繊維集合体を用いた清掃用物品を提供することを目的とする。
【課題を解決するための手段】
【０００７】
本発明は、長繊維が集合された長繊維集合体を用いて形成される清掃用物品であって、マンセル表色系における明度が４以下である長繊維集合体を含む清掃用物品を提供することにより、上記目的を達成したものである。
【発明の効果】
【０００８】
本発明の長繊維集合体を用いた清掃用物品によれば、被清掃面に対する優しくソフトな感触が得られると共に、清掃時における力強いイメージを想起させて清掃実感を向上させることができることができる。
【図面の簡単な説明】
【０００９】
【図１】本発明の好ましい一実施形態に係る清掃用物品を示す斜視図である。
【図２】本発明の好ましい一実施形態に係る清掃用物品を清掃具に装着した状態を示す斜視図である。
【図３】本発明の好ましい一実施形態に係る清掃用物品の略示平面図である。
【図４】長繊維の構成を説明する模式図である
【図５】（ａ）は、他の実施形態に係る清掃用物品に用いる清掃具の斜視図、（ｂ）は、他の実施形態に係る清掃用物品を清掃具に装着した状態を示す斜視図、（ｃ）は、長繊維集合体を起毛させた状態の斜視図である。
【発明を実施するための形態】
【００１０】
図１に示す本発明の好ましい一実施形態に係る清掃用物品１０は、図１に示すように、多数の長繊維１２からなる長繊維集合体１１を用いて形成されている。本実施形態の清掃用物品１０は、好ましくは、例えば不織布からなる基材シート１３の表面に長繊維集合体１１を一体として接合した状態で用いられる。本実施形態の清掃用物品１０は、好ましくは清掃具２０に装着して使用される（図２参照）。本実施形態の清掃用物品１０は、好ましくは使い捨て用の物品である。本実施形態の清掃用物品１０は、好ましくは長繊維集合体１１を、例えば手動、エアブロー処理、バキューム処理等によって立体開繊することによって、多数の長繊維１２を立体形状に起毛させることにより（図１、図５（ｃ）参照）、被清掃面に対する優しくソフトな感触が得られることに加えて、優しくソフトな感触を保持したまま、清掃時における力強いイメージを想起させることを可能にする機能を備えている。
【００１１】
そして、本実施形態の清掃用物品１０は、長繊維集合体１１を用いて形成される清掃用の物品であって、マンセル表色系における明度が４以下、好ましくはマンセル表色系における明度が３以下となっている長繊維集合体１１を含んでいる。
【００１２】
また、本実施形態では、長繊維集合体１１は、好ましくは、一方向に配向した長繊維１２が集合されて形成されており、好ましくは、長繊維集合体１１を構成する多数の長繊維１２は、マンセル表色系における明度が４以下の長繊維となっており、好ましくはマンセル表色系における明度が３以下の長繊維となっている。
【００１３】
さらに、本実施形態の清掃用物品１０は、好ましくは、上述のように、不織布等からなる基材シート１３の表面に、長繊維集合体１１を接合して形成されており、好ましくは、柄部２１と清掃部（ヘッド部）２２とを備える清掃具２０の清掃部２２に装着して用いられるようになっている（図２参照）。
【００１４】
マンセル表色系における明度が４以下の長繊維１２は、色を持たない無彩色による黒色が好ましいが、青黒色、紫黒色、赤黒色などの有彩色を含む黒色であってもよい。
【００１５】
本実施形態では、清掃用物品１０を構成する長繊維集合体１１は、図１及び図３に示すように、実質的に一方向に配向する多数（無数）の長繊維１２を集合させて形成されており、多数本の長繊維１２は、複数本の長繊維１２を束にした繊維束の状態で用いられている。繊維束は、例えば一般的にトウ（tow）と呼ばれるものが使用される。トウ（tow）は、極めて多数のフィラメントから構成される長繊維束で撚りのないものであり、紡糸された糸を多数集めて繊維束としたものである。長繊維集合体１１は、繊維束を所定の長さに切断して形成されている。多数本の長繊維１２は、当該長繊維１２の配向方向と直交する方向（Ｘ方向）に直線状に延設する複数個所の繊維接合部１４によって、長繊維１２同士が接合されることにより、長繊維集合体１１を形成している。繊維接合部１４は、長繊維１２よる長繊維集合体１１の全体に、千鳥状に交互に分散配置されて設けられている。
【００１６】
また、本実施形態では、後述する基材シート１３を具備し、長繊維集合体１１は、基材シート１３に、複数個所のシート接合部１５を介して接合されていることにより、基材シート１３と共に清掃用物品１０を形成している。複数個所のシート接合部１５それぞれは、繊維接合部１４の一部に重ねられて設けられている。長繊維集合体１１は、複数個所の線状カット部１６によって長繊維１２がカットされている。複数個所の線状カット部１６は、長繊維１２の配向方向Ｙと直交する方向Ｘにおいて隣り合う繊維接合部１４の間の領域に、それぞれ配置されている。長繊維集合体１１は、長繊維１２が線状カット部１６によりカットされたカット繊維の他に、線状カット部１６の端部の近傍に、カットされていない未カット繊維も有している。複数個所の線状カット部１６により、長繊維集合体１１は、複数個形成されている。長繊維集合体１１が複数個形成されている場合、少なくとも１つの長繊維集合体１１は、マンセル表色系における明度が４以下であることが好ましい。本実施形態では、全ての長繊維集合体１１のマンセル表色系における明度が４以下である。
【００１７】
長繊維１２は、基材シート１３に複数接合されることで、長繊維集合体１１を形成することもでき、また本実施形態のように、長繊維１２同士を繊維接合部１４にて接合して長繊維集合体１１を形成してから、シート接合部１５を介して基材シート１３に接合することもできる。
【００１８】
長繊維集合体１１は、本実施形態では、矩形形状を備えており、矩形形状を有する基材シート１３の表面に、長繊維１２の配向方向Ｙに沿った長手方向を、基材シート１３の長手方向（Ｙ方向）と一致させて配置されている。また、長繊維集合体１１は、矩形形状の短手方向（Ｘ方向）の幅が、基材シート１３の短手方向の幅のよりも小さくなるように形成されている。基材シート１３における、長繊維集合体１１よりも幅方向（Ｘ方向）外方の領域であるフラップ部１７は、後述するように、清掃具２０の清掃部２２に清掃用物品１０を装着する際に用いられる部分となる。
【００１９】
長繊維集合体１１を形成する長繊維１２としては、例えばポリエチレン、ポリプロピレン、ナイロン、ポリエステル、レーヨン等の合成繊維を用いることができる。合成繊維は熱融着性であることが好ましい。また、合成繊維は、単一繊維であってもよく、好ましくは芯部及び鞘部が形成された複合繊維である。複合繊維としては、芯がポリエステル／鞘がポリエチレンの複合繊維、芯がポリエチレンテレフタレート／鞘がポリエチレンの複合繊維、芯と鞘がポリエチレンテレフタレートの複合繊維、芯がポリエチレンテレフタレート／鞘がポリプロピレンの複合繊維、芯と鞘がポリプロピレンの複合繊維、芯がポリプロピレン／鞘がポリエチレンの複合繊維等が挙げられる。長繊維１２は必要に応じて、機械又は熱処理等により捲縮させたものを使用することができる。
また、長繊維１２には、必要に応じて流動パラフィン等の吸塵薬剤を付与してもよく、油剤含浸処理や帯電防止処理、帯電処理、親水化処理、光沢防止剤の付与等を施してもよい。
長繊維１２は、通常、製造時におけるその素材の搬送方向に配向している。ここで、「長繊維１２が一方向に配向する」とは、製造上の誤差、長繊維１２が捲縮加工されたこと等によって、一部の長繊維１２の配向方向Ｙが、その他の大部分の長繊維１２の配向方向からずれた場合を排除しない意味である。
【００２０】
長繊維集合体１１を形成する長繊維１２は、埃や汚れ等の絡み取り性の観点から、繊維接合部１４の１ｃｍあたり、繊維接合部１４の片側に１０００本〜５００００本設けられていることが好ましく、５０００本〜４００００本設けられていることが更に好ましい。また、長繊維１２の太さは、特に臨界的ではないが、埃や汚れ等の絡み取り性や被清掃面に対する傷付き防止性の観点から、０．１〜２００ｄｔｅｘ、特に２〜３０ｄｔｅｘであることが好ましい。また、長繊維１２としては、捲縮性繊維を用いると、埃や汚れ等の絡み取り性が一層向上するので好ましい。長繊維集合体１１を形成する長繊維１２は、マンセル表色系における明度が４以下となっている。
【００２１】
多数本の長繊維１２同士を接合する繊維接合部１４は、長繊維集合体１１を形成するためのものであり、長繊維集合体１１を基材シート１３に接合するためのものではない。繊維接合部１４は、ヒートシール法または超音波シール法等による熱融着、ホットメルト接着剤等により形成されており、本実施形態においては、長繊維１２を熱融着することにより形成されている。繊維接合部１４は、図３に示すように、長繊維１２の配向方向Ｙと直交する方向Ｘに、即ち、基材シート１３の幅方向に直線状に延設して形成されている。
【００２２】
基材シート１３に長繊維集合体１１を接合するシート接合部１５は、繊維接合部１４と同様に熱融着、ホットメルト接着剤等により形成されており、本実施形態においては、長繊維集合体１１の長繊維１２を基材シート１３に熱融着することにより形成されている。シート接合部１５は、繊維接合部１４の一部に重ねられて設けられている。シート接合部１５は、長繊維１２の配向方向Ｙに長く形成されている。
【００２３】
本実施形態では、長繊維集合体１１と共に清掃用物品１０を構成する基材シート１３としては、従来の清掃用シートに用いられている、不織布等の繊維シートを用いることができる。特に、被清掃面に沿って追随し易くするために、長手方向（Ｙ方向）に柔軟性を有するエアスルー不織布又はスパンボンド不織布を用いることが好ましい。また、基材シート１３の形成材料は、不織布、ネット状シート、フィルム、合成紙又はそれらの複合材料でもよい。基材シート１３は、長繊維集合体１１との接合性の観点から、熱融着性の材料を含むことが好ましい。
【００２４】
基材シート１３は、図３に示すように、矩形形状を有しており、基材シート１３の長手方向（Ｙ方向）の長さは、１０ｃｍ〜６０ｃｍであることが好ましい。基材シート１３の短手方向（Ｘ方向）の幅は、５ｃｍ〜４０ｃｍであることが好ましい。本実施形態においては、基材シート１３は、矩形形状の長手方向が、長繊維１２の配向方向Ｙと一致するように配置されている。長繊維１２の配向方向Ｙと基材シート１３の長手方向は、図３におけるＹ方向と同一方向であり、長繊維１２の配向方向Ｙと直交する方向Ｘと基材シート１３の短手方向は、図３におけるＸ方向と同一方向である。
【００２５】
また、基材シート１３は、長繊維集合体１１に比べてマンセル表色系における明度が高くなっていることが好ましい。基材シート１３は、マンセル表色系における明度が４〜９．５のシートとなっていることが好ましい。これによって、長繊維１２とのコントラストによるデザイン性の向上や、清掃具２０の清掃部２２への装着性の向上を図ることが可能になる。視認性の観点から、基材シート１３と長繊維集合体１１とのマンセル表色系における明度の差は、１以上が好ましく、２以上が更に好ましく、３以上が一層好ましい。
【００２６】
さらに、基材シート１３は、長繊維集合体１１を形成する長繊維１２と同様の繊維からなる、好ましくは芯鞘構造の短繊維等を用いて形成された、不織布等の繊維シートとなっていることが好ましく、長繊維１２と同様の染料、顔料等によって着色されていることが好ましい。これによって、清掃用物品１０の全体の統一感や、繊維の生産性の向上を図ることが可能になる。基材シート１３は、染料、顔料等によって着色されていない繊維を、３％〜５０％含んでいることで長繊維１２に比べて薄い色であっても良い。基材シートは、長繊維集合体１１に比べて、坪量が小さいことが好ましい。これによって、長繊維１２と同じ繊維組成（着色に関して。）のものを用いても、明度が高くすることが可能になる。
【００２７】
そして、本実施形態では、長繊維集合体１１を構成する多数の長繊維１２は、マンセル表色系における明度が４以下の長繊維となっている。長繊維１２は、図４に示すように、好ましくは、芯部１１ａと鞘部１１ｂとからなる芯鞘構造を備える樹脂製の繊維となっており、芯部１１ａの樹脂が染料、顔料等により着色されている。これによって、被清掃面を清掃用物品１０により清掃した際に、被清掃面に染料や顔料による色移りが生じるのを防止することが可能になる。また、鞘部１１ｂの樹脂を透明にすることで、芯部１１ａの着色を良好に視認することが可能になると共に、芯部１１ａに着色を集中させることで、濃い色の繊維を得ることが可能になる。これにより、長繊維集合体１１を、全体として良好な濃い色に発色させることが可能になる。
【００２８】
ここで、マンセル表色系における明度は、色見本との比較によって測定されるものである。本実施形態では、清掃用物品１０の形態となった状態で色見本と比較して、マンセル表色系における明度を測定している。
【００２９】
より具体的には、好ましくは日本色研事業株式会社発行の、マンセルシステム色彩の定規拡充版を用いて、視覚的に等間隔な数値スケールであるマンセル記号から、どのような色相、明度、彩度なのかを色の表示を介して視感で判断する。色相はニュートラル軸を中心に異なる角度で表され、明度段階は、無彩色のみ１８段階、彩度は９段階で判定する。明度は数値が大きいほど明るく、彩度は０が無彩色で、数値が大きいほど鮮やかになる。マンセル表色系における明度は、日常生活や就労などの場で不自由を強いられない視覚健常者によって目視測定することができ、未開繊の平面形状の状態のもの及び、立体開繊したものについて測定することができる。例えば図５（ａ）に示す清掃具３０は、それぞれ分解や切断をせずに形状変化させることなく測定することができる。色の判定は、無彩色明度９の紙（白い紙）の上に物品を静置して、それぞれマンセル記号（色見本）と比較して判定する。
【００３０】
また、芯鞘構造を備える長繊維１２は、芯部１１ａが、例えばポリエチレンテレフタレートや、融点が２００℃以上のポリエステル樹脂からなり、鞘部１１ｂが、例えば融点が１２０℃以下のポリエチレン樹脂からなっていることが好ましい。ポリエステル樹脂は、ポリエチレン樹脂よりも融点が高いことから、着色している芯部１１ａを溶かすことなく、鞘部１１ｂを熱融着することが可能になって、繊維接合部１４やシート接合部１５を形成する製造工程において、加工設備等が汚れるのを回避することが可能になる。
【００３１】
さらに、本実施形態では、芯鞘構造を備える長繊維１２は、芯部１１ａを、無着色のポリエステル樹脂に、染料や顔料を０．８〜３０重量％配合したものを用いて着色すると共に、鞘部１１ｂを、無着色のポリエチレン樹脂を用いて形成することが好ましい。さらに好ましくは、ポリエステル樹脂に、顔料を１．５〜１５重量％配合することが好ましい。これによって、芯部１１aが鞘部１１ｂによって覆われても、鮮明な色を発現することが可能になる。
【００３２】
長繊維１２の芯部１１ａを着色するための染料や顔料としては、Ｐｉｇｍｅｎｔ  Ｂｌａｃｋ１等を、例えば５重量％配合して用いることができる。
【００３３】
上述の構成を備える清掃用物品１０は、図２に示すように、好ましくは柄部２１と清掃部２２とを備える清掃具２０の清掃部２２に装着して用いることができる。清掃具２０は、本実施形態では、平面視して長方形状の底面部（清掃面）を備える、清掃用物品１０を装着可能な清掃部２２と、清掃部２２の上面部に自在継手２３を介して連結された、棒状の柄部２１とを含んで構成されている。
【００３４】
清掃用物品１０の基材シート１３の表面に設けられた長繊維集合体１１は、清掃具２０の清掃部２２の底面部よりも広い面積で形成されている。清掃用物品１０は、基材シート１３のフラップ部１７を清掃部２２の上面部側に折り返して、折り返したフラップ部１７を清掃部２２の上面部に設けられた、放射状のスリットを有する４箇所の可撓性のシート保持部２４に各々押し込むことによって、清掃具２０の清掃部２２に装着される。清掃部２２に装着された際に、清掃用物品１０の長繊維集合体１１は、図２のように、清掃部２２の長手方向に沿った側面部にも、存在することになるので、例えばフローリング床等の被清掃面の角隅に溜まった埃や汚れ等を、有効に捕捉することが可能になる。また、清掃具２０に清掃用物品１０を装着した状態で、マンセル表色系における明度が４以下の長繊維集合体１１を、清掃部２２の側面部において容易に視認することができる。
【００３５】
本実施形態では、清掃具２０は、長繊維集合体１１と同系色の色に着色されていることが好ましい。また、本実施形態では、清掃具２０の少なくとも柄部２１は、マンセル表色系における明度が４以下となっていることが好ましく、３以下となっていることが更に好ましい。清掃具２０の少なくとも柄部２１は、長繊維集合体１１よりも明度が低くなっていることが更に好ましい。清掃具２０の少なくとも柄部２１が、マンセル表色系における明度が４以下となっていることにより、清掃用物品１０との統一感や、デザイン性や、力強いイメージによる清掃実感を、一層向上させることが可能になる。清掃具２０の少なくとも柄部２１の全体が、持ち手の部分も含めてマンセル表色系における明度が４以下となっていることが好ましいが、柄部２１を構成するパイプの連結部で、一部に透明のパーツがあっても良い。自在継手２３及び清掃部２２の上面を、マンセル表色系における明度が４以下となるようにし、清掃部２２の周囲の部分と清掃面の部分とを明度が４以上となるようにすることもできる。シート保持部２４の部分を、明度が４以上となるようにすることもできる。
【００３６】
また、清掃具２０と清掃用物品１０が、同じ色調になることにより、清掃用具としての一体感、統一感、存在感が増して、手元から遠い被清掃面へ清掃用物品１０を追従させ易くなる。清掃用物品１０を、他の清掃具に取り付けてしまう誤装着を防ぐ効果も得られる。さらに、リビングなどの生活空間に置いた場合には、インテリアデザイン性を損なわない効果が得られる。
【００３７】
本実施形態では、清掃用物品１０は、清掃具２０の清掃部２２に装着された状態で、例えば通常のモップ用の清掃具と同様に、フローリング床等の被清掃面の清掃に供することができる。清掃用物品１０の長繊維集合体１１は、多数（無数）の長繊維１２が集合して形成されており、好ましくは立体開繊することで、多数の長繊維１２を３次元方向にランダムに起毛させて立体形状に毛羽立たせることにより、被清掃面を清掃する際に、被清掃面に対する優しくソフトな感触が得られことになる。また、狭い隙間に対する清掃を容易にし、且つ払拭した被清掃面の埃や汚れ等を、起毛させた立体形状の長繊維集合体１１の内部にまで取り込むことで３次元的に捕集しながら、被清掃面を清掃して行くことになる。
【００３８】
そして、本実施形態の清掃用物品１０によれば、被清掃面を清掃する際に、被清掃面に対する優しくソフトな感触を保持したまま、清掃時における力強いイメージを想起させて清掃実感を向上させることが可能になる。
【００３９】
すなわち、本実施形態によれば、清掃用物品１０は、長繊維集合体１１を構成する多数の長繊維１２が、マンセル表色系における明度が４以下の長繊維であることによる作用によって、長繊維集合体１１による被清掃面に対する優しくソフトな感触を保持したまま、力強いイメージを想起させながら、相当の清掃実感を伴いつつ被清掃面に対する清掃を行うことが可能になる。長繊維集合体１１の力強いイメージによって、清掃用物品１０に付与する圧力が強くなったり、被清掃面との接触時間が長めになったりする傾向になるので、清掃実感を向上させることが可能になる。上記のように清掃具２０に装着した状態で、長繊維集合体１１を視認することができるため、清掃具２０の清掃部２２に装着して用いると、その傾向が強くなる。
【００４０】
また、本実施形態によれば、長繊維集合体１１のマンセル表色系における明度が４以下であることにより、内部に蓄積した埃や汚れ等を振り払って除去することで捕集性を回復させる場合の、リフレッシュ性の識別のし易さを、効果的に向上させることが可能になる。また、長繊維集合体１１のマンセル表色系における明度が４以下であることにより、清掃用物品１０は、これまでにない高級感を得ることができる。これらの観点から、長繊維集合体１１のマンセル表色系における明度は、４以下であり、３以下であることが更に好ましい。
【００４１】
なお、本発明は上記実施形態に限定されることなく種々の変更が可能である。例えば、基材シート１３は、長繊維集合体１１と同様のマンセル表色系における明度を備えていても良い。また、本発明の清掃用物品は、長繊維集合体を基材シートに接合して形成されている必要は必ずしも無く、長繊維集合体の形状を工夫すること等によって、長繊維集合体のみで清掃用物品を形成することもできる。本発明の清掃用物品は、清掃具の清掃部に装着して用いる必要は必ずしなく、清掃用物品のみを用いて被清掃面を清掃することもできる。また、長繊維集合体１１に対して、部分的にマンセル表色系における明度が４以上の長繊維が含まれていてもよい。
【００４２】
また、清掃用物品や清掃具は、上述の実施形態のものに限定されない。例えば図５（ａ）、（ｂ）に示すように、ハンディタイプの清掃具３０に、マンセル表色系における明度が４以下の長繊維集合体１１’による清掃用物品１０’を装着して用いて、例えば壁や天井、照明器具等の高い位置にある被清掃面を清掃できるようにすることもできる。図５（ａ）に示す他の形態の清掃具３０は、柄部３１と挿入部３２とを備えており、挿入部３２を、２枚の基材シート１３’によって形成された、清掃用物品１０’の把手挿入部３３に挿入して、清掃用物品１０’を装着した状態で用いることができる。図５に示す他の実施形態の清掃具３０においても、基材シート１３’は、長繊維集合体１１’に比べてマンセル表色系における明度が高くなっている。他の実施形態の清掃具３０は、上記の実施形態の清掃具２０と同様に、少なくとも柄部３１のマンセル表色系における明度が、４以下となっており、３以下となっていることが好ましい。
【００４３】
清掃用物品１０’は、把手挿入部３３を形成する２枚の基材シート１３’の各々の把手挿入部３３とは反対側の外側面に、長繊維１２’による繊維束からなる繊維層３４を、１層又は２層以上、好ましくは繊維接合部を兼ねる１本のライン状のシート接合部１５’を介して接合することにより、これらの２枚の基材シート１３’の各々の外側面に長繊維集合体１１’を固定した状態で形成されている。各繊維層３４を形成する繊維束は、基材シート１３’による把手挿入部３３の幅方向に略配向している。各繊維層３４は、略矩形の平面視形状を有しており、それぞれ実質的に同形となっている。各繊維層３４を構成する繊維束の繊維長は、埃の絡み取り性の観点から、好ましくは３０〜１５０ｍｍ、更に好ましくは５０〜１２０ｍｍとなっている。例えば図５（ｂ）に示すマンセル表色系における明度が４以下の長繊維集合体１１’による清掃用物品１０’は、例えば公知の開繊装置を用いて長繊維集合体１１’を十分に立体開繊させることで、長繊維集合体１１’を例えば図５（ｃ）に示すような円柱形状の立体形状に形成して用いることができる。
【００４４】
図５（ｂ）、（ｃ）に示す清掃用物品１０’によっても、長繊維集合体１１’が、マンセル表色系における明度が４以下となっていることによって、長繊維集合体１１’による被清掃面に対する優しくソフトな感触を保持したまま、力強いイメージを想起させながら、相当の清掃実感を伴いつつ被清掃面に対する清掃を行うことが可能になる。また特に、壁や天井等が淡色であることが多い中、長繊維集合体１１’が濃い色となっていることにより、清掃用物品１０’が見え易くなって、被清掃面を清掃し易くなる。２枚の基材シート１３’の各々の外側面に長繊維集合体１１’が存在していることで、清掃用物品１０’を清掃具３０に装着した状態で、長繊維集合体１１’を容易に視認することが可能になる。
【００４５】
さらに、図５（ｂ）に示す清掃用物品１０’では、清掃具３０の少なくとも柄部３１のマンセル表色系における明度が、４以下となっているので、特にハンディタイプの清掃具３０が伸縮タイプのものである場合には、清掃用物品１０’の到達地点が見え易くなって、被清掃面を清掃し易くなる。ここで、特にハンディタイプの清掃具３０には、通常タイプのものと伸縮タイプのものとがあるが、例えば伸縮タイプのものであって、柄部３１に方向切換用のボタン等がある場合には、これのボタン等の部分を明度が３以上となるようにし、ボタン等以外の部分を明度が４以下となるようにすることもできる。
【００４６】
また、少なくとも１つの長繊維集合体１１’のマンセル表色系における明度が４以下であればよく、例えば図５（ｂ）のように両方の外表面の長繊維集合体１１’のマンセル表色系における明度が４以下であってもよく、どちらか片側の外表面の長繊維集合体１１’のマンセル表色系における明度が４以下であってもよい。また、基材シート１３’は、長繊維集合体１１’と同様のマンセル表色系における明度を備えていても良い。
【実施例】
【００４７】
以下、実施例及び比較例により、本発明の清掃用物品をさらに詳細に説明するが、本発明は、以下の実施例及び比較例の記載によって何ら制限されるものではない。
【００４８】
〔実施例１、２の清掃用物品、比較例１の清掃用物品〕
図５（ｂ）、（ｃ）に示す清掃用物品と同様の構成を備え、長繊維及び基材シートの色調、組成、マンセル測定値が表１のようになっている清掃用物品を、実施例１及び実施例２の清掃用物品とした。マンセル表色系における明度が９であること以外は図５（ｂ）、（ｃ）に示す清掃用物品と同様の構成を備え、長繊維及び基材シートの色調、組成、マンセル測定値が表１のようになっている清掃用物品を、比較例１の清掃用物品とした。
【００４９】
【表１】
2018089124.tif 000003
【００５０】
実施例１、２の清掃用物品、及び比較例１の清掃用物品の長繊維集合体を形成する長繊維は、芯部が、融点が２４０℃の無着色ポリエステル樹脂からなり、鞘部が、融点が１００℃の無着色ポリエチレン樹脂からなる。顔料は、芯部に配合されている。長繊維の繊維繊度は、３．３ｄｔｅｘであり、坪量は４６６ｇ／ｍ２とした。
【００５１】
実施例１、２の清掃用物品の基材シートを構成する繊維は、芯部が、融点が２４０℃の無着色ポリエステル樹脂からなり、鞘部が、融点が１００℃の無着色ポリエチレン樹脂からなる。顔料は、芯部に配合されている。基材シートは、繊維繊度が３．３ｄｔｅｘで、繊維長が３８ｍｍの短繊維を用いたエアスルー不織布であり、坪量は１２０ｇ/ｍ２とした。比較例１の基材シートを
構成する繊維は、芯部が、融点が２４０℃の無着色ポリエステル樹脂からなり、鞘部が、融点が１００℃の無着色ポリエチレン樹脂からなる。基材シートは、繊維繊度が３．３ｄｔｅｘで、繊維長が３８ｍｍの短繊維を用いたエアスルー不織布であり、坪量は１２０ｇ/ｍ２とした。
【００５２】
実施例１、２の清掃用物品、及び比較例１の清掃用物品は、長繊維集合体を立体開繊させることで、図５（ｃ）に示すような円柱形状の立体形状に形成すると共に、図５（ａ）に示すハンディタイプの清掃具に装着した状態で、以下の方法によって、清拭荷重を測定することにより最大荷重値を算出した。算出結果を表２に示す。
【００５３】
【表２】
2018089124.tif 000004
【００５４】
〔清拭荷重試験方法〕
ひずみに応じて電気抵抗が変化する４箇所のロードセルを備えた検出台の上に、３０ｃｍ×３０ｃｍの板を設置する。検出台の上の板からひずみに応じた電圧信号が出力されるので、この電圧信号を増幅し、数値化することによって、清拭荷重を検出する。実施例１、２の清掃用物品、及び比較例１の清掃用物品を、図５（ａ）に示す清掃具に各々装着して、評価員Ａ、評価員Ｂ、評価員Ｃの３名の評価員によって、検出台の上の板を清拭した際の清拭荷重（ｋｇｆ）を測定し、各々の最大荷重値を算出した。実施例１、２の清掃用物品、及び比較例１の清掃用物品について、３名の評価員によって各８回ずつ試験を行って貰い、表２では、８回の試験で得られた最大荷重値の平均値を示している。試験条件は、清拭ストロークを２０ｃｍ、清拭回数を横方向４往復、清拭時間を５秒とした。
【００５５】
表２に示す算出結果によれば、本発明に係る実施例１、２の清掃用物品を用いた場合に、比較例１の清掃用物品を用いた場合と比較して、清掃時における力強いイメージを想起させて清掃実感を向上できることが類推される。
【符号の説明】
【００５６】
１０，１０’  清掃用物品
１１，１１’  長繊維集合体
１１ａ  芯部
１１ｂ  鞘部
１２，１２’  長繊維
１３，１３’  基材シート
１４  繊維接合部
１５，１５’  シート接合部
１６  線状カット部
１７  フラップ部
２０，３０  清掃具
２１  柄部
２２  清掃部
２３  自在継手
２４  シート保持部
３１  柄部
３２  挿入部
３３  把手挿入部
３４  繊維層
Ｘ  長繊維の配向方向と直交する方向
Ｙ  長繊維の配向方向
【図１】
2018089124.tif 000005
【図２】
2018089124.tif 000006
【図３】
2018089124.tif 000007
【図４】
2018089124.tif 000008
【図５】
2018089124.tif 000009